(57)【要約】      （修正有）【課題】透明性が高く、両面で映像を表示可能なスクリーンと、これを備える映像表示装置とを提供することである。【解決手段】スクリーンは、映像源から投射された映像光を反射して映像を両面に表示するスクリーンであり、スクリーン内にスクリーン面に沿って所定の方向に複数配列され、配列方向に交差する方向に帯状に延在し、入射した光の一部を第１表面側へ反射する第１反射層部１３１と、隣り合う第１反射層部１３１の間に設けられ、第１反射層部１３１を透過した光の少なくとも一部を第２表面側へ反射する第２反射層部１３２とを備える。第１反射層部１３１及び第２反射層部１３２は、誘電体多層膜により形成され、少なくとも第２反射層部１３２の厚み方向において最も第２表面側には、厚みが０．５μｍ以上である低屈折率誘電体膜が位置する。【選択図】図４
2018124315.tif 000002
【特許請求の範囲】
【請求項１】
映像源から投射された映像光を反射して映像を両面に表示するスクリーンであって、
映像光が入射する第１表面と、前記第１表面に対向する第２表面とを両表面とし、
該スクリーン内にスクリーン面に沿って所定の方向に複数配列され、配列方向に交差する方向に帯状に延在し、入射した光の一部を前記第１表面側へ反射し、入射したその他の光の少なくとも一部を前記第２表面側へ透過する第１反射層部と、
隣り合う前記第１反射層部の間に設けられ、前記第１反射層部を透過した光の少なくとも一部を前記第２表面側へ反射する第２反射層部と、
を備え、
前記第１反射層部及び前記第２反射層部の配列方向と該スクリーンの厚み方向とに平行な断面において、
前記第１反射層部は、スクリーン面に平行な面に対して角度θ１をなし、
前記第２反射層部は、スクリーン面に平行な面に対して角度θ１よりも大きい角度θ２をなし、
前記第１反射層部及び前記第２反射層部は、表面が不規則な凹凸形状を有する粗面であり、屈折率の異なる２つの誘電体膜が厚み方向に交互に複数積層された誘電体多層膜により形成され、
前記第１反射層部及び前記第２反射層部のうち、少なくとも前記第２反射層部の厚み方向において最も前記第２表面側には、前記屈折率の異なる２つの誘電体膜のうち一方の前記誘電体膜よりも屈折率が低い低屈折率誘電体膜が位置し、その厚みが０．５μｍ以上であること、
を特徴とするスクリーン。
【請求項２】
請求項１に記載のスクリーンにおいて、
該スクリーンの厚み方向において、前記第１反射層部及び前記第２反射層部の前記第２表面側に隣接する層は、その屈折率が１．５６〜１．７であり、
前記低屈折率誘電体膜の屈折率は、１．３３〜１．４７であること、
を特徴とするスクリーン。
【請求項３】
請求項１又は請求項２に記載のスクリーンにおいて、
少なくとも前記第２反射層部の厚み方向において最も前記第２表面側に位置する前記低屈折率誘電体膜は、その厚みが３．０μｍ以下であること、
を特徴とするスクリーン。
【請求項４】
請求項１から請求項３までのいずれか１項に記載のスクリーンにおいて、
前記第２反射層部の配列方向及び該スクリーンの厚み方向に平行な断面において、前記第２反射層部が、スクリーン面に直交する方向となす角度φは、０＜φ＜２×（θ１）を満たすこと、
を特徴とするスクリーン。
【請求項５】
請求項１から請求項４までのいずれか１項に記載のスクリーンにおいて、
映像光が入射する第１の面と、前記第１の面に対向する第２の面とを有する単位光学形状が前記第２表面側の面に複数配列された光学形状層を有し、
前記第１反射層部は、前記第１の面上の少なくとも一部に設けられ、
前記第２反射層部は、前記第２の面上の少なくとも一部に設けられること、
を特徴とするスクリーン。
【請求項６】
請求項５に記載のスクリーンにおいて、
前記単位光学形状は、該スクリーンの正面方向から見て真円の一部形状であり、同心円状に複数配列されていること、
を特徴とするスクリーン。
【請求項７】
請求項１から請求項６までのいずれか１項に記載のスクリーンにおいて、
光を拡散する作用を有する拡散粒子を含有する光拡散層を備えていないこと、
を特徴とするスクリーン。
【請求項８】
請求項１から請求項７までのいずれか１項に記載のスクリーンと、
前記スクリーンに映像光を投射する映像源と、
を備える映像表示装置。
【発明の詳細な説明】
【技術分野】
【０００１】
本発明は、投射された映像光を反射して両面に表示するスクリーンと、これを備える映像表示装置に関するものである。
【背景技術】
【０００２】
従来、映像源から投射された映像光を反射又は透過して映像を表示する反射スクリーンとして、様々なものが開発されている（例えば、特許文献１参照）。なかでも、透明性を有する半透過型のスクリーンは、映像光を投射しない不使用時等にはスクリーンの向こう側の景色が透けて見えるという利点を有し、意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
しかし、このような半透過型のスクリーンは、光を拡散する拡散粒子等を含有する光拡散層を備えていると、スクリーンの向こう側の景色が白っぽくぼやけて観察される場合があり、意匠性の低下を招くため、透明性の向上が課題となっていた。
また、スクリーンにおいて、透明性を有しながら、映像源側、背面側の両面で映像を表示したいという要求もあった。
【０００５】
上述の特許文献１には、透過型、反射型の両方に使用することができるスクリーンが提案されている。しかし、この特許文献１には、透明性の向上に関する対策に関してはなんら開示されていない。また、特許文献１では、スクリーンの一方の面に投射された映像光によって、スクリーンの両面で映像を表示することに関しても開示されていない。
【０００６】
本発明の課題は、透明性が高く、両面で映像を表示可能なスクリーンと、これを備える映像表示装置とを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、映像源（ＬＳ）から投射された映像光（Ｌ）を反射して映像を両面に表示するスクリーンであって、映像光が入射する第１表面（１０ａ）と、前記第１表面に対向する第２表面（１０ｂ）とを両表面とし、該スクリーン内にスクリーン面に沿って所定の方向に複数配列され、配列方向に交差する方向に帯状に延在し、入射した光の一部を前記第１表面側へ反射し、入射したその他の光の少なくとも一部を前記第２表面側へ透過する第１反射層部（１３１）と、隣り合う前記第１反射層部の間に設けられ、前記第１反射層部を透過した光の少なくとも一部を前記第２表面側へ反射する第２反射層部（１３２）と、を備え、前記第１反射層部及び前記第２反射層部の配列方向と該スクリーンの厚み方向とに平行な断面において、前記第１反射層部は、スクリーン面に平行な面に対して角度θ１をなし、前記第２反射層部は、スクリーン面に平行な面に対して角度θ１よりも大きい角度θ２をなし、前記第１反射層部及び前記第２反射層部は、表面が不規則な凹凸形状を有する粗面であり、屈折率の異なる２つの誘電体膜が厚み方向に交互に複数積層された誘電体多層膜により形成され、前記第１反射層部及び前記第２反射層部のうち、少なくとも前記第２反射層部の厚み方向において最も前記第２表面側には、前記屈折率の異なる２つの誘電体膜のうち一方の前記誘電体膜よりも屈折率が低い低屈折率誘電体膜が位置し、その厚みが０．５μｍ以上であること、を特徴とするスクリーン（１０）である。
第２の発明は、第１の発明のスクリーンにおいて、該スクリーンの厚み方向において、前記第１反射層部（１３１）及び前記第２反射層部（１３２）の前記第２表面（１０ｂ）側に隣接する層（１４）は、その屈折率が１．５６〜１．７であり、前記低屈折率誘電体膜の屈折率は、１．３３〜１．４７であること、を特徴とするスクリーン（１０）である。
第３の発明は、第１の発明又は第２の発明のスクリーンにおいて、少なくとも前記第２反射層部（１３２）の厚み方向において最も前記第２表面（１０ｂ）側に位置する前記低屈折率誘電体膜は、その厚みが３．０μｍ以下であること、を特徴とするスクリーン（１０）である。
第４の発明は、第１の発明から第３の発明までのいずれか１つのスクリーンにおいて、前記第２反射層部（１３２）の配列方向及び該スクリーンの厚み方向に平行な断面において、前記第２反射層部が、スクリーン面に直交する方向となす角度φは、０＜φ＜２×（θ１）を満たすこと、を特徴とするスクリーン（１０）である。
第５の発明は、第１の発明から第４の発明までのいずれか１つのスクリーンにおいて、前記第２表面（１０ｂ）側の面に、映像光が入射する第１の面（１２１ａ）と、前記第１の面に対向する第２の面（１２１ｂ）とを有する単位光学形状（１２１）が複数配列された光学形状層（１２）を有し、前記第１反射層部（１３１）は、前記第１の面上の少なくとも一部に設けられ、前記第２反射層部（１３２）は、前記第２の面上の少なくとも一部に設けられること、を特徴とするスクリーン（１０）である。
第６の発明は、第５の発明のスクリーンにおいて、前記単位光学形状（１２１）は、該スクリーンの正面方向から見て真円の一部形状であり、同心円状に複数配列されていること、を特徴とするスクリーン（１０）である。
第７の発明は、第１の発明から第６の発明までのいずれか１つのスクリーンにおいて、光を拡散する作用を有する拡散粒子を含有する光拡散層を備えていないこと、を特徴とするスクリーン（１０）である。
第８の発明は、第１の発明から第７の発明までのいずれか１つのスクリーン（１０）と、前記スクリーンに映像光を投射する映像源（ＬＳ）と、を備える映像表示装置（１）である。
【発明の効果】
【０００８】
本発明によれば、透明性が高く、両面で映像を表示可能なスクリーンと、これを備える映像表示装置とを提供することができる。
【図面の簡単な説明】
【０００９】
【図１】実施形態の映像表示装置１を示す図である。
【図２】実施形態のスクリーン１０の層構成を示す図である。
【図３】実施形態の第１光学形状層１２を背面側（−Ｚ側）から見た図である。
【図４】実施形態の単位光学形状１２１、反射層１３、第２光学形状層１４を説明する図である。
【図５】実施形態のスクリーン１０での映像光及び外光の様子を示す図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
また、本明細書中に記載する各部材の寸法等の数値及び材料名等は、実施形態としての一例であり、これに限定されるものではなく、適宜選択して使用してよい。
【００１１】
本明細書中において、板、シート等の言葉を使用している。一般的に、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１２】
（実施形態）
図１は、本実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ等を有している。本実施形態のスクリーン１０は、映像源ＬＳから投影された映像光Ｌを反射して、その映像源側の画面及び背面側の画面に映像を表示可能である。このスクリーン１０の詳細に関しては、後述する。
【００１３】
ここで、理解を容易にするために、図１を含め以下に示す各図において、適宜、ＸＹＺ直交座標系を設けて示している。この座標系では、スクリーン１０の画面の左右方向（水平方向）をＸ方向、画面上下方向（鉛直方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の映像源側の正面方向に位置する観察者Ｏ１から見て、画面左右方向（水平方向）の右側に向かう方向を＋Ｘ方向、画面上下方向（鉛直方向）の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１４】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を映像源側（＋Ｚ側）の正面方向（スクリーン面の法線方向）から見た場合に、スクリーン１０の画面左右方向の中央であって、スクリーン１０の画面よりも鉛直方向下方側（−Ｙ側）に位置している。
映像源ＬＳは、奥行き方向（Ｚ方向）において、スクリーン１０の表面からの距離が、従来の汎用プロジェクタに比べて大幅に近い位置から斜めに映像光Ｌを投影できる。したがって、従来の汎用プロジェクタに比べて、映像源ＬＳは、スクリーン１０までの投射距離が短く、投射された映像光がスクリーン１０に入射する入射角度が大きく、その変化量（最小値から最大値までの変化量）も大きい。
【００１５】
スクリーン１０は、映像光を投射しない不使用時等において、スクリーン１０の向こう側の景色を観察できる透明性を有する半透過型のスクリーンである。また、スクリーン１０は、映像源ＬＳが投射した映像光Ｌの一部を映像源側（＋Ｚ側）に位置する観察者Ｏ１側へ向けて反射して映像を表示し、かつ、映像光の一部を背面側（裏面側）に位置する観察者Ｏ２（図５参照）へ向けて出射して映像を表示するスクリーン、即ち、両面で映像を表示するスクリーンである。
このスクリーン１０は、その厚み方向において映像源側の表面であり、映像源ＬＳが投射した映像光Ｌが入射する第１表面１０ａと、これに対向する背面側の表面であり、映像光Ｌの一部が出射する第２表面１０ｂとを両表面とする。
スクリーン１０の画面（表示領域）は、使用状態において、映像源側（＋Ｚ側）の観察者Ｏ１側から見て長辺方向が画面左右方向（Ｘ方向）となる略矩形状である。
スクリーン１０は、その画面サイズが対角４０〜１００インチ程度であり、画面の横縦比が１６：９である。なお、これに限らず、例えば、４０インチ以下の大きさとしてもよく、使用目的や使用環境等に応じて、その大きさや形状は適宜選択できるものとする。
【００１６】
一般的に、スクリーン１０は、樹脂製の薄い層の積層体等であり、それ単独では平面性を維持するだけの十分な剛性を有していない場合が多い。そのため、本実施形態のスクリーン１０は、背面側（−Ｚ側）又は映像源側（＋Ｚ側）に光透過性を有する不図示の接合層を介して不図示の支持板を一体に接合（あるいは部分固定）し、画面の平面性を維持することが好ましい。
このような支持板は、光透過性を有し、剛性が高い平板状の部材であり、アクリル樹脂やＰＣ樹脂等の樹脂製、ガラス製等の板状の部材を用いることができる。
本実施形態の映像表示装置１は、例えば、店舗等のショーウィンドウに適用される。このとき、スクリーン１０は、ショーウィンドウの窓ガラス（ガラス板）を支持板として接合し、画面の平面性を維持することが好適である。
なお、これに限らず、スクリーン１０は、不図示の枠部材等によってその四辺等が支持され、その平面性を維持する形態としてもよい。
【００１７】
図２は、本実施形態のスクリーン１０の層構成を示す図である。図２では、スクリーン１０の映像源側（＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。
図３は、本実施形態の第１光学形状層１２を背面側（−Ｚ側）から見た図である。理解を容易にするために、反射層１３や第２光学形状層１４、保護層１５等を省略して示している。
図４は、本実施形態の単位光学形状１２１、反射層１３、第２光学形状層１４を説明する図である。図４は、図２に示したスクリーン１０の断面をさらに拡大して示し、理解を容易にするために、第１光学形状層１２と反射層１３と第２光学形状層１４のみを示している。
スクリーン１０は、図２に示すように、その映像源側（＋Ｚ側）から順に、基材層１１、第１光学形状層１２、反射層１３、第２光学形状層１４、保護層１５を備えている。
【００１８】
基材層１１は、光透過性を有するシート状の部材である。基材層１１は、その裏面側（背面側，−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００１９】
第１光学形状層１２は、基材層１１の背面側（−Ｚ側）に形成された光透過性を有する層である。第１光学形状層１２の背面側（−Ｚ側）の面には、単位光学形状（単位レンズ）１２１が複数配列されて設けられている。
単位光学形状１２１は、図３に示すように、正面方向（Ｚ方向）から見て真円の一部形状（円弧状）であり、スクリーン１０の画面（表示領域）外に位置する点Ｃを中心として、同心円状に複数配列されている。即ち、第１光学形状層１２は、点Ｃを中心（フレネルセンター）とする、所謂、オフセット構造のサーキュラーフレネルレンズ形状を有している。
本実施形態では、点Ｃは、図３に示すように、スクリーン１０の画面左右方向（Ｘ方向）の中央であって画面外の下方に位置している。また、点Ｃと点Ａとは、スクリーン１０を正面方向から見た場合、図３に示すように、画面上下方向（Ｙ方向）に平行な同一直線上に位置している。
【００２０】
単位光学形状１２１は、図２等に示すように、スクリーン１０の厚み方向及び単位光学形状１２１の配列方向に平行な断面形状が、背面側（−Ｚ側）に凸となる略三角形形状である。
また、単位光学形状１２１は、映像光が入射する第１斜面（レンズ面）１２１ａと、これに対向する第２斜面（非レンズ面）１２１ｂとを有している。１つの単位光学形状１２１において、第２斜面１２１ｂは、頂点ｔを挟んで第１斜面１２１ａの下側（−Ｙ側）に位置している。
この単位光学形状１２１の第１斜面１２１ａ及び第２斜面１２１ｂは、微細かつ不規則な凹凸形状を有している。
【００２１】
第１斜面１２１ａがスクリーン面に平行な面となす角度は、θ１である。第２斜面１２１ｂがスクリーン面に平行な面となす角度は、θ２である。単位光学形状１２１の頂角はθ３である。角度θ１，θ２は、θ２＞θ１という関係を満たしている。また、単位光学形状１２１の頂角は、θ３である。
単位光学形状１２１の配列ピッチは、Ｐであり、単位光学形状１２１の高さ（厚み方向における頂点ｔから単位光学形状１２１間の谷底となる点ｖまでの寸法）は、ｈである。
【００２２】
理解を容易にするために、図２，図４では、単位光学形状１２１の配列ピッチＰ、角度θ１，θ２は、単位光学形状１２１の配列方向において一定である例を示している。しかし、本実施形態の単位光学形状１２１は、実際には、配列ピッチＰは一定であるが、角度θ１が単位光学形状１２１の配列方向においてフレネルセンターとなる点Ｃから離れるにつれて次第に大きくなっている。
角度θ１，θ２、配列ピッチＰ等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰや角度θ１，θ２が変化する形態としてもよい。
【００２３】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。第１光学形状層１２は、後述する第２光学形状層１４や基材層１１等と屈折率が等しい又は略等しい（等しいとみなせる程度に屈折率差が小さい）ことが、スクリーン１０の透明性を向上させる観点から好ましい。
本実施形態の第１光学形状層１２の屈折率は、１．５６〜１．７程度である。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２４】
反射層１３は、光を反射する機能を有する層であり、単位光学形状１２１上（第１斜面１２１ａ及び第２斜面１２１ｂ上）に形成されている。反射層１３は、第１斜面１２１ａ上に形成された第１反射層部１３１と、第２斜面１２１ｂ上に形成された第２反射層部１３２とを有している。
反射層１３は、入射した光の一部を反射し、入射したその他の光の少なくとも一部を透過する半透過型の反射層、所謂、ハーフミラーである。
前述のように、第１斜面１２１ａ及び第２斜面１２１ｂは、微細かつ不規則な凹凸形状が形成されており、反射層１３は、この凹凸形状に追従して形成されており、この凹凸形状を維持したまま成膜されている。そのため、反射層１３の第１光学形状層１２側の面及び第２光学形状層１４側の面は、微細かつ不規則な凹凸形状を有する粗面となっている。
反射層１３は、入射した光の一部を、この凹凸形状により拡散反射し、入射したその他の光の少なくとも一部を拡散しないで透過するという機能を有する。
【００２５】
反射層１３は、屈折率の異なる２つの誘電体膜、即ち、屈折率の高い誘電体膜（以下、高屈折率誘電体膜という）と屈折率が低い誘電体膜（以下、低屈折率誘電体膜という）とが交互に複数積層されて形成された誘電体多層膜により形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３３〜１．４７程度である。
【００２６】
反射層１３（第１反射層部１３１及び第２反射層部１３２）は、膜厚が約５〜１００ｎｍである高屈折率誘電体膜及び低屈折率誘電体膜が交互に２〜１０層程積層されて形成されている。そして、第２反射層部１３２においては、最も第２光学形状層１４側（第２表面１０ｂ側）には、他の高屈折率誘電体膜及び低屈折率誘電体膜より膜厚が厚い低屈折率誘電体膜が位置している。
この最も第２光学形状層１４側に位置する低屈折率誘電体膜は、映像光を第２反射層部１３２と第２光学形状層１４との界面で効率よく全反射させる観点から、膜厚が０．５μｍ以上であることが好ましい。また、反射層１３の表面の微細かつ不規則な凹凸形状を維持し、界面での反射光を十分に拡散する観点から、その厚さは３．０μｍ以下であることが好ましい。
【００２７】
このような膜厚の厚い低屈折率誘電体膜が最も第２光学形状層１４側に位置するように誘電体多層膜を設けることにより、最も第２光学形状層１４側（第２表面１０ｂ側）の低屈折率誘電体膜と第２光学形状層１４との界面で効率よく映像光を反射（全反射を含む）し、背面側（−Ｚ側）に位置する観察者側へ映像光を向けることができる。
なお、本実施形態では、第２反射層部１３２の最も第２光学形状層１４側（第２表面１０ｂ側）に加え、第１反射層部１３１の最も第２光学形状層１４側（第２表面１０ｂ側）にも膜厚が０．５μｍ以上となる低屈折率誘電体膜が形成されているが、これに限らず、第２反射層部１３２の最も第２光学形状層１４側（第２表面１０ｂ側）のみに形成される形態としてもよい。
【００２８】
本実施形態では、反射層１３は、波長域４００〜８００ｎｍの光に対して、その反射率が約５〜４５％、透過率が約５５〜８５％である。
また、本実施形態の反射層１３は、ＴｉＯ２（二酸化チタン）等の金属酸化膜により形成された高屈折率誘電体膜と、ＳｉＯ２により形成された低屈折率誘電体膜とを交互に複数積層して形成された誘電体多層膜により形成されている。
本実施形態では、単位光学形状１２１上（第１斜面１２１ａ及び第２斜面１２１ｂ上）に、上述のような高屈折率誘電体膜及び低屈折率誘電体多層膜を交互に蒸着加工する、又はスパッタ加工する等により、所定の厚さで各膜が順次積層されて誘電体多層膜が形成され、反射層１３が形成される。第２反射層部１３２の最も第２光学形状層１４側（第２表面１０ｂ側）に位置する膜厚が０．５μｍ以上の低屈折率誘電体膜については、蒸着等の各種条件を適宜調整する等により形成される。
【００２９】
なお、反射層１３は、これに限らず、例えば、アルミニウム、銀、ニッケル等の光反射性の高い金属を蒸着したり、光反射性の高い金属をスパッタリングしたり、金属箔を転写したりする等により形成してもよい。
本実施形態のように、誘電体多層膜により形成された反射層１３は、アルミニウム等の金属蒸着膜等により形成された反射層に比べて、高い透明性を有しており、また、光の吸収損失が小さく、高い反射率を実現できる。
【００３０】
図４に示すように、単位光学形状１２１の第１斜面１２１ａに入射した映像光Ｌａのうち、一部の映像光Ｌｂは、第１反射層部１３１で反射して、映像源側（＋Ｚ側）に位置する観察者Ｏ１側に出射する。このとき、第１反射層部１３１で反射した映像光Ｌｂは、反射面の微細かつ不規則な凹凸形状によって拡散される。
また、第１斜面１２１ａに入射した一部の映像光Ｌｃは、反射層１３を透過して、背面側（−Ｚ側）のスクリーン上方へ出射する。
【００３１】
さらに、第１斜面１２１ａのうち、谷底となる点ｖに近い領域Ｂに入射し、第１反射層部１３１を透過した映像光Ｌｄの少なくとも一部は、隣接する単位光学形状１２１の第２斜面１２１ｂに入射する。第２反射層部１３２において、最も第２光学形状層１４側には、厚さ０．５μｍ以上の低屈折率誘電体膜が位置している。したがって、映像光Ｌｄは、第２反射層部１３２と第２光学形状層１４との界面で反射（全反射を含む）し、スクリーン１０の背面側（−Ｚ側）の正面方向に位置する観察者Ｏ２（後述の図５参照）が映像を視認可能な方向に出射する。このとき、第２反射層部１３２で反射した映像光Ｌｄは、第２反射層部１３２の表面の微細かつ不規則な凹凸形状によって拡散される。
しかも、第２反射層部１３２において、最も第２光学形状層１４側位置する低屈折率誘電体膜は、その厚さが０．５μｍ以上であり、映像光Ｌｄの多くが第２反射層部１３２と第２光学形状層１４との界面で全反射する。したがって、背面側へ向かう映像光Ｌｄの光量を増大させ、背面側に明るく良好な映像を表示できる。
【００３２】
領域Ｂに入射して第１反射層部１３１を透過した映像光Ｌｄが、第２斜面１２１ｂに入射して第２反射層部１３２で反射し、背面側（−Ｚ側）に位置する観察者Ｏ２側へ出射し、その焦点を無限大とする場合、第２斜面１２１ｂがスクリーン面に直交する方向に対しなす角度φは、０＜φ＜２×（θ１）であることが好ましく、φがθ１に略等しい（等しいとみなせる程度の誤差を有する状態）ことがより好ましく、φがθ１に等しいことがさらに好ましい。
この角度φが０°である場合、第２反射層部１３２で反射した映像光は、背面下方側へ出射するため、観察者Ｏ２に届かない。また、角度φが２×（θ１）以上である場合、第２反射層部１３２で反射した映像光は、第２斜面１２１ｂに入射せず、裏面上方側へ向かい、観察者Ｏ２に届かない。したがって、角度φは、上記範囲であることが好ましい。
【００３３】
また、角度φが角度θ１に近くなるにつれ、頂角θ３は９０°に近くなり、角度φが角度θ１に等しいとき、頂角θ３は９０°に等しい。この頂角θ３＝９０°のとき、領域Ｂは、点ｖから第１斜面１２１ａに沿って頂点ｔ側へ寸法Ｓ１＝Ｐｓｉｎ（θ１）ｔａｎ（θ１）の領域となる。
なお、背面側に出射する映像光Ｌｄの焦点の位置が無限大ではなく、所定の位置である場合は、角度φと角度θ１の関係は、上記に限定されない。また、頂角θ３についても、映像光Ｌｄの焦点の位置等に応じて、適宜その大きさを選択してよい。
【００３４】
第２光学形状層１４は、第１光学形状層１２及び反射層１３の背面側（−Ｚ側）に設けられた光透過性を有する層である。第２光学形状層１４は、単位光学形状１２１による凹凸の谷部を埋めるように設けられ、第１光学形状層１２及び反射層１３の背面側（−Ｚ側）の面を平坦としている。また、第２光学形状層１４の映像源側（＋Ｚ側）の面は、第１光学形状層１２の単位光学形状１２１の略逆型の形状が複数配列されて形成されている。
このような第２光学形状層１４を設けることにより、反射層１３を保護することができ、背面側に保護層１５等を積層しやすくなり、また、支持板等への接合も容易となる。
【００３５】
第２光学形状層１４の屈折率は、第２反射層部１３２の最も第２光学形状層１４側に位置する低屈折率誘電体膜の屈折率よりも大きく、この低屈折率誘電体膜と第２光学形状層１４との界面で効率よく映像光を反射させる観点から、１．５６〜１．７程度であることが好ましい。
このような第２光学形状層１４は、ウレタンアクリレートやエポキシアクリレート等の紫外線硬化型樹脂を用いて形成することが好ましい。
【００３６】
保護層１５は、第２光学形状層１４の背面側（−Ｚ側）に設けられた光透過性を有する層であり、このスクリーン１０の背面側（−Ｚ側）を保護する機能を有している。
保護層１５は、光透過性の高い樹脂により形成されたシート状の部材が好適である。この保護層１５は、例えば、前述の基材層１１と同様の材料を用いて形成されたシート状の部材を用いてもよい。
上述のように、本実施形態のスクリーン１０は、光を拡散する拡散作用を有する粒子等の拡散材を含有した光拡散層を備えておらず、反射層１３で反射した光がその表面の微細かつ不規則な凹凸形状によって拡散される。
【００３７】
スクリーン１０は、例えば、以下のような製造法により製造される。
基材層１１を用意し、その一方の面に、単位光学形状１２１を賦形する成形型に紫外線硬化型樹脂を充填した状態で積層し、紫外線を照射して樹脂を硬化させるＵＶ成形法により第１光学形状層１２を形成する。このとき、単位光学形状１２１を賦形する成形型の第１斜面１２１ａ及び第２斜面１２１ｂを賦形する面には、微細かつ不規則な凹凸形状が形成されている。この凹凸形状は、成形型の第１斜面１２１ａ及び第２斜面１２１ｂを賦形する面に、表面加工を複数回行うことにより形成できる。この表面加工は、例えば、めっき加工や、エッチング加工、ブラスト加工等である。また、表面加工は、各種条件等を変更して複数回行ってもよい。
【００３８】
第１光学形状層１２を、基材層１１の一方の面に形成した後、第１斜面１２１ａ及び第２斜面１２１ｂに、蒸着又はスパッタにより、誘電体多層膜を形成し、反射層１３を形成する。このとき、前述のように、蒸着やスパッタ等の各種条件を適宜設定することにより、少なくとも第２反射層部１３２の最も第２光学形状層１４側には、膜厚が０．５μｍ以上である低屈折率誘電体膜を形成することができる。
【００３９】
その後、反射層１３の上から、単位光学形状１２１による凹凸の谷部を充填するように紫外線硬化型樹脂を塗布し、保護層１５を積層して紫外線硬化型樹脂を硬化させ、第２光学形状層１４及び保護層１５を一体に形成する。その後、所定の大きさに裁断する等により、スクリーン１０が完成する。
基材層１１及び保護層１５は、枚葉状としてもよいし、ウェブ状としてもよい。
【００４０】
従来、反射層１３の表面に微細かつ不規則な凹凸形状を形成する方法として、例えば、第１斜面１２１ａ，第２斜面１２１ｂ上に拡散粒子等を塗布してその上から反射層１３を形成したり、第１斜面１２１ａ，第２斜面１２１ｂにブラスト加工を行った後に反射層１３を形成したりする方法等が知られている。しかし、このような製法では、個々のスクリーン１０での拡散特性や品質等のばらつきが大きく、安定した製造が行えない。
これに対して、上述のように、第１斜面１２１ａ，第２斜面１２１ｂの微細かつ不規則な凹凸形状を成形型によって賦形した後、第１斜面１２１ａ，第２斜面１２１ｂ上に反射層１３を成膜することにより、反射層１３の表面に微細かつ不規則な凹凸形状を容易に形成でき、多数のスクリーン１０を製造する場合にも、拡散特性や品質のばらつきが少なく、安定して製造できる。
【００４１】
図５は、本実施形態のスクリーン１０での映像光及び外光の様子を示す図である。図５では、スクリーン１０の画面中央となる点Ａを通り、単位光学形状１２１の配列方向（Ｙ方向）及びスクリーンの厚み方向（Ｚ方向）に平行な断面での断面の一部を拡大して示している。また、図５では、理解を容易にするために、基材層１１と第１光学形状層１２との層間、第２光学形状層１４と保護層１５との層間には、屈折率差がないものとして示している。
スクリーン１０の下方に位置する映像源ＬＳから投射され、スクリーン１０に下方から斜めに入射する映像光Ｌ１のうち、一部の映像光Ｌ２は、スクリーン１０の表面で反射して上方へ向かうため、スクリーン１０の映像源側の正面方向に位置する観察者Ｏ１には到達しない。また、映像光Ｌ１のうち、スクリーン１０に入射した映像光Ｌ３は、単位光学形状１２１の第１斜面１２１ａに入射し、反射層１３（第１反射層部１３１）によって拡散反射され、映像源側（＋Ｚ側）の正面方向に位置する観察者Ｏ１側へ出射する。したがって、観察者Ｏ１は、良好な視野角を有する映像を視認できる。
【００４２】
第１斜面１２１ａに入射した映像光のうち、反射層１３で反射しなかった一部の映像光Ｌ４は、反射層１３（第１反射層部１３１）を透過し、スクリーン１０の背面側（−Ｚ側）からスクリーン上方へ出射する。そのため、この映像光Ｌ４は、背面側のスクリーン１０の正面方向に位置する観察者Ｏ２には到達しない。
また、第１斜面１２１ａの谷底となる点ｖ近傍の領域Ｂに入射した映像光Ｌ５は、一部の映像光Ｌ６が第１反射層部１３１で拡散反射して観察者Ｏ１側へ出射する。また、映像光Ｌ５のうち、一部の映像光Ｌ７は、反射層１３（第１反射層部１３１）を透過して隣接する第２斜面１２１ｂの第２反射層部１３２と第２光学形状層１４との界面で多くが全反射する。このとき、第２反射層部１３２の表面の微細かつ不規則な凹凸形状で拡散され、背面側のスクリーン正面方向に位置する観察者Ｏ２側へ出射する。この映像光Ｌ７により、背面側の観察者Ｏ２も、明るく良好な映像が視認可能となる。
【００４３】
なお、本実施形態では、映像光Ｌ５は、スクリーン１０の下方から投射され、かつ、角度θ２（図２，図４等参照）は、スクリーン１０の画面上下方向の各点における映像光の入射角度よりも大きい。したがって、映像光が第１反射層部１３１を透過することなく第２反射層部１３２に直接入射することはない。
【００４４】
次に、背面側（−Ｚ側）又は映像源側（＋Ｚ側）からスクリーン１０に入射する映像光以外の太陽光等の外界からの光（以下、外光という）について説明する。
図５に示すように、スクリーン１０に上方から入射する外光Ｇ１，Ｇ５のうち、一部の外光Ｇ２，Ｇ６は、スクリーン１０の表面で反射して、それぞれスクリーン１０の下方へ向かう。また、一部の外光Ｇ３は、反射層１３で反射して、映像源側のスクリーン上方へ出射する。一部の外光Ｇ７は、反射層１３で反射して、背面側のスクリーン１０の下方へ出射する。また、一部の外光Ｇ４，Ｇ８は、反射層１３を透過して、それぞれ背面側、映像源側のスクリーン１０の下方側へ出射する。
そのため、外光Ｇ３，Ｇ４，Ｇ７，Ｇ８は、観察者Ｏ１，Ｏ２には到達しないので、外光による映像のコントラスト低下を抑制できる。
【００４５】
また、スクリーン１０は、光を拡散する拡散粒子等を含有する光拡散層を備えていないので、スクリーン面に小さな入射角度で入射する外光Ｇ９，Ｇ１０は、拡散されずにスクリーン１０を透過する。したがって、映像源側及び背面側から、観察者Ｏ１，Ｏ２が、スクリーン１０を通してスクリーン１０の向こう側の景色を観察した場合に、スクリーン１０の向こう側の景色がぼやけたり、白くにじんだりすることなく、高い透明性を有して観察することができる。
【００４６】
光を拡散する拡散粒子等を含有する光拡散層を備える従来の半透過型の反射スクリーンでは、拡散粒子によって外光も拡散されるため、スクリーンの向こう側の景色がぼやけたり、白くにじんだりして観察されたり、映像のコントラストが低下したりするという問題がある。また、上述のような従来の半透過型の反射スクリーンでは、映像光は、反射層での反射前後の２回拡散されるので、良好な視野角が得られる一方で明るさが低下したり、映像の解像度が低下したりするという問題がある。
しかし、本実施形態のスクリーン１０では、映像光は、反射層１３の微細かつ不規則な凹凸形状によって反射（全反射を含む）する際に拡散される。また、本実施形態のスクリーン１０では、反射層１３を透過する光は拡散されない。
【００４７】
したがって、本実施形態によれば、スクリーン１０は、良好な視野角及び明るさや解像度を有する映像を映像源側（＋Ｚ側）の観察者Ｏ１に表示でき、かつ、映像光を投射しない状態等において、スクリーン１０の向こう側（−Ｚ側）の景色が白くにじんだり、ぼけたりすることがなく観察者Ｏ１に良好に視認され、スクリーン１０の高い透明性を実現できる。
また、本実施形態によれば、スクリーン１０は、映像源ＬＳから映像光を投射することにより、背面側（−Ｚ側）に位置する観察者Ｏ２に対しても、左右反転した映像ではあるが明るく良好な映像を表示することができる。これにより、スクリーン１０の背面側にいる観察者Ｏ２に映像の存在を知らせ、映像をより良好に視認できる映像源側へ観察者Ｏ２を誘導することが可能である。また、スクリーン１０は、前述のように高い透明性を有しているので、映像光を投射しない状態等において、スクリーン１０の向こう側（＋Ｚ側）の景色が観察者Ｏ２に良好に視認される。
【００４８】
また、本実施形態によれば、スクリーン１０は、反射層１３を透過する光を拡散せず、高い透明性を有しているので、スクリーン１０に映像光が投射された状態においても、観察者Ｏ１，Ｏ２が、スクリーン１０の向こう側（背面側、映像源側）の景色を一部視認することが可能である。
また、本実施形態によれば、第１光学形状層１２は、フレネルセンターとなる点Ｃが、表示領域外であって映像源ＬＳ側に位置しており、所謂、オフセット構造のサーキュラーフレネルレンズ形状を有しているので、短焦点の映像源ＬＳから投射された入射角度の大きい映像光であっても、画面左右方向の映像が暗くなることがなく、明るさの面均一性の高い良好な映像を表示することができる。
【００４９】
（変形形態）
以上説明した実施形態に限定されることなく、種々の変形や変更が可能であって、それらも本発明の範囲内である。
（１）実施形態において、第１反射層部１３１の透過率を、第２反射層部１３２よりも大きくしてもよい。このような形態とすることにより、背面側へ進み映像を表示する光量を増やすことができ、反射型のスクリーンとして映像源側に良好な映像を表示しつつ、背面側にもより明るく良好な映像を表示できる。
【００５０】
（２）実施形態において、反射層１３として、第１光学形状層１２の第１斜面１２１ａと第２光学形状層１４との間、第２斜面１２１ｂと第２光学形状層１４との間に、第１光学形状層１２の屈折率とは相違する屈折率の層（例えば、空気層や有機多層膜による層）を一層又は複数層設ける形態としてもよい。
【００５１】
（３）実施形態において、スクリーン１０の映像源側（＋Ｚ側）の表面、背面側（−Ｚ側）の表面の少なくとも一方に、傷つき防止を目的としたハードコート層を設けてもよい。ハードコート層は、例えば、スクリーン１０の映像源側の表面（実施形態では、基材層１１の映像源側の面）、背面側の表面（実施形態では、保護層１５の背面側の面）に、ハードコート機能を有する紫外線硬化型樹脂（例えば、ウレタンアクリレート等）を塗布して形成する等により、形成される。
また、ハードコート層に限らず、スクリーン１０の使用環境や使用目的等に応じて、例えば、反射防止機能、紫外線吸収機能、防汚機能、帯電防止機能等、適宜必要な機能を有する層を１つ又は複数選択して設けてもよい。さらに、基材層１１の映像源側等にタッチパネル層等を設けてもよい。
例えば、スクリーン１０の映像源側の表面に反射防止層を設けた場合には、映像光のスクリーン１０への入射時の映像源側表面での反射を抑制して入射光量を増大させる効果に加え、反射層１３で反射した映像光の一部が、スクリーン１０の映像源側表面で反射して背面側から出射する等により、背面側の観察者Ｏ２が観察する映像の画質が低下すること等も抑制できる。
【００５２】
（４）実施形態において、映像源ＬＳは、スクリーン１０の画面左右方向の中央であって鉛直方向下側に位置する例を挙げて説明したが、これに限らず、例えば、スクリーン１０の斜め下方側等に配置され、スクリーン１０に対して画面左右方向において斜め方向光から映像光を投射する形態としてもよい。
このとき、第１光学形状層１２は、サーキュラーフレネルレンズ形状のフレネルセンターとなる点Ｃを、映像源ＬＳの位置に合わせてずらした形態とすることが好ましい。このような形態とすることにより、映像源ＬＳの位置等を自由に設定することができる。
【００５３】
（５）実施形態において、第１光学形状層１２は、背面側の面にサーキュラーフレネルレンズ形状を有する例を挙げて説明したが、これに限らず、例えば、単位光学形状が画面左右方向を長手方向とする略三角柱形状であり、画面上下方向に複数配列されたリニアフレネルレンズ形状を有する形態としてもよい。また、画面左右方向を長手方向とする単位プリズム形状が画面上下方向に複数配列された形態としてもよい。
【００５４】
（６）実施形態において、単位光学形状１２１は、第１斜面１２１ａ及び第２斜面１２１ｂが平面により形成される例を示したが、これに限らず、例えば、曲面と平面とが組み合わされた形態としてもよいし、折れ面状としてもよい。
また、実施形態において、単位光学形状１２１は、３つ以上の複数の面によって形成される多角柱形状としてもよい。
【００５５】
（７）実施形態において、スクリーン１０は、第１光学形状層１２及び第２光学形状層１４が十分な厚みや剛性等を有している場合には、基材層１１及び保護層１５を備えない形態としてもよいし、どちらか一方を備えない形態としてもよい。
また、各実施形態において、スクリーン１０は、基材層１１及び保護層１５の少なくとも一方を、ガラス板等の光透過性を有する板状の部材としてもよい。また、このとき、粘着剤層等を介して第１光学形状層１２等がガラス板等に接合される形態としてもよい。
【００５６】
（８）実施形態において、映像源ＬＳは、例えば、Ｐ波の偏光成分を有する映像光を投射する映像源としてもよい。
映像源ＬＳは、映像光が入射角θａでスクリーン１０へ投射されるように位置及び角度が設定されている。このとき、入射角θａは、スクリーン１０へ投射された映像光（Ｐ波）の反射率がゼロとなる入射角（ブリュースター角）をθｂ（°）とした場合、（θｂ−１０）°以上８５°以下の範囲に設定される。例えば、スクリーン１０へ投射された映像光の反射率がゼロとなる入射角θｂが６０°である場合、映像光の入射角θａは、５０〜８５°の範囲に設定される。
このように、Ｐ波の偏光成分を有する映像光を投射する映像源ＬＳを用いることにより、スクリーン１０への入射角θａが大きい場合にも、スクリーン１０の表面における鏡面反射を抑制することができ、映像源ＬＳの設置位置等、投射系の設計の自由度を上げることができる。また、このような映像源ＬＳを用いることにより、スクリーン１０に入射する際にスクリーン表面での映像光の反射を低減でき、映像の明るさ、鮮明さの向上を図ることができる。
なお、角度θｂ（ブリュースター角）は、映像光が投射されるスクリーン１０の表面の材質により異なる。
また、このような形態の場合、基材層１１及び保護層１５としては、ＴＡＣ製のシート状の部材が好適である。
【００５７】
（９）実施形態において、映像表示装置１は、店舗等のショーウィンドウに適用される例を示したが、これに限らず、例えば、室内用のパーテーションや、展示会等における映像表示等にも適用できる。
【００５８】
なお、実施形態及び変形形態は、適宜組み合わせて用いることもできるが、詳細な説明は省略する。また、本発明は、以上説明した実施形態等によって限定されることはない。
【符号の説明】
【００５９】
１    映像表示装置
１０    スクリーン
１１    基材層
１２    第１光学形状層
１２１    単位光学形状
１２１ａ    第１斜面
１２１ｂ    第２斜面
１３    反射層
１３１    第１反射層部
１３２    第２反射層部
１４    第２光学形状層
１５    保護層
ＬＳ    映像源
【図１】
2018124315.tif 000003
【図２】
2018124315.tif 000004
【図３】
2018124315.tif 000005
【図４】
2018124315.tif 000006
【図５】
2018124315.tif 000007